(57)【特許請求の範囲】
【請求項１】
遊技機が設置された遊技場で使用され、前記遊技機の前に設置されて遊技者が遊技時に着座する遊技場用椅子において、
遊技者が着座する腰掛け部と、遊技者が前記腰掛け部に着座した際に当該遊技者の背中と対面する背もたれ部を有し、
背もたれ部は、腰掛け部に着座した遊技者の背中が対面する側と反対側に被搬送物を搬送可能とした搬送手段が設けられ、
腰掛け部の着座面に背もたれ部を対向させて搬送手段を上方に向けた状態で、被搬送物の搬送を可能とすることを特徴とする遊技場用椅子。
【請求項２】
背もたれ部と腰掛け部は、ヒンジ構造を介して接合されており、
背もたれ部は、ヒンジ部を基準に、腰掛け部に対して近接・離反方向に回動可能であることを特徴とする請求項１に記載の遊技場用椅子。
【請求項３】
搬送手段は、複数の回転可能なボールを有し、被搬送物を背もたれ部の平面に沿っていずれの方向にも搬送可能であることを特徴とする請求項１又は２に記載の遊技場用椅子。
【請求項４】
搬送手段は、複数のローラを有し、被搬送物を背もたれ部の平面に沿った方向且つ遊技機に対して近接・離反方向に搬送可能であることを特徴とする請求項１又は２に記載の遊技場用椅子。
【請求項５】
遊技機は、遊技機の外郭とほぼ同じ開口面積を有した遊技機取付部に設置されるものであって、
前記搬送手段は、その天部の位置が、遊技機取付部の開口底部の位置とほぼ同じ鉛直方向の位置となるように設けられていることを特徴とする請求項１乃至４のいずれかに記載の遊技場用椅子。
【発明の詳細な説明】
【技術分野】
【０００１】
本発明は、遊技場用椅子に関するものであり、特に遊技機の取り付け・取り外し作業の前後の障害とならない遊技場用椅子に関する。
【背景技術】
【０００２】
パチンコ機やスロット機等が遊技できる遊技場においては、各島（列）の遊技機取付部に複数の遊技機が隙間なく並べられており、遊技者がその遊技機に向き合って着座できる位置に椅子が床等に対して一体的に固定されている。
また、各椅子には、背もたれが設けられ、遊技機を正面視した際に、その背もたれの一部（主に上部側）は遊技機に重なる位置に配されている。即ち、遊技場に設置された椅子は、背もたれが遊技機に対向した状態である。
【０００３】
ところで、遊技場においては、遊技者の興味を引くため、新しい遊技機の導入（所謂新台入れ替え）や、既設の遊技機の配置換え等の作業が頻繁に行われる。この作業は、主に既に遊技機取付部に設置された遊技機を取り外す搬出作業と、遊技機取付部に新たに設置する搬入作業とがある。そして、従来より、この搬出作業と搬入作業においては、遊技場に設けられた椅子により、作業効率の低下を強いられていた。
【０００４】
即ち、遊技場の椅子は、床に一体的に固定されており、移動させることができないため、椅子たる障害物を避けつつ、重量物たる遊技機の搬出や搬入作業を行う必要があった。具体的には、パチンコ機やスロット機等の遊技機は、重量が２５〜３５ｋｇ程あり、その遊技機の搬出・搬入作業の際には、遊技機を椅子の背もたれの高さ以上の位置に持ち上げる必要があった。これは、作業者にとってかなりの重労働であった。
【０００５】
そこで、特許文献１には、背もたれを座面側に折りたたむことができる遊技場用椅子が開示されている。
【先行技術文献】
【特許文献】
【０００６】
【特許文献１】特開平６−２３１４３号公報
【発明の概要】
【発明が解決しようとする課題】
【０００７】
ところで、遊技機は、大当たり等の演出動作が行われるモニターや、その様々な演出を制御する制御装置を備えた精密装置であるため、遊技機の搬出作業や、搬入作業においては、かなりの慎重作業が強いられる。特に、作業者は、取り付け時や取り外し時に、重量物たる遊技機を抱えて定位置を保持した状態が長期化してしまう場合が発生する。これにより、作業者の体力を著しく消耗させてしまうため、搬出・搬入の対象遊技機が多いほど、作業時間が長期化し作業効率の低下が顕著となる。
【０００８】
そこで、本発明では、従来技術の問題に鑑み、作業者の遊技機の搬出・搬入作業時の負担を軽減しつつ、搬出・搬入作業の効率化を図ることができる遊技場用椅子を提供することを目的とする。
【課題を解決するための手段】
【０００９】
上記課題を解決するため、請求項１に記載の発明は、遊技機が設置された遊技場で使用され、前記遊技機の前に設置されて遊技者が遊技時に着座する遊技場用椅子において、遊技者が着座する腰掛け部と、遊技者が前記腰掛け部に着座した際に当該遊技者の背中と対面する背もたれ部を有し、背もたれ部は、腰掛け部に着座した遊技者の背中が対面する側と反対側に被搬送物を搬送可能とした搬送手段が設けられ、腰掛け部の着座面に背もたれ部を対向させて搬送手段を上方に向けた状態で、被搬送物の搬送を可能とすることを特徴とする遊技場用椅子である。
【００１０】
本発明の遊技場用椅子は、背もたれ部に搬送手段を設け、その背もたれ部を腰掛け部の着座面に配置して搬送手段を鉛直上方に向けた状態で、被搬送物を搬送できるような構成とされている。即ち、搬送手段を上方（被搬送物を上から載置できる方向）に向けることで、実質的に背もたれ部が倒れた状態にすることができるため、先に説明したように、遊技機の搬出・搬入の作業時に背もたれ部が障害となることがない。また、この状態の搬送手段の上に被搬送物を載置すれば、作業者は被搬送物を抱える必要がなく、さらにその状態でその遊技機の搬出又は搬入作業を行うことが可能となる。従って、本発明の遊技場用椅子によれば、背もたれ部が遊技機の搬出・搬入作業の際に障害となることがなく、さらに搬出・搬入作業の補助機能を有するため、作業者の負担を軽減できる。これにより、搬出・搬入作業の対象遊技機が多い場合であっても、作業効率を低減させることがない。
【００１１】
本発明の遊技場用椅子は、背もたれ部と腰掛け部は、ヒンジ構造を用いて接合されており、背もたれ部は、ヒンジ部を基準に、腰掛け部に対して近接・離反方向に回動可能であることが望ましい。（請求項２）
【００１２】
請求項３に記載の発明は、搬送手段は、複数の回転可能なボールを有し、被搬送物を背もたれ部の平面に沿っていずれの方向にも搬送可能であることを特徴とする請求項１又は２に記載の遊技場用椅子である。
【００１３】
かかる構成によれば、搬送手段として回転可能なボールが採用されているため、被搬送物の搬送方向が制限されない。これにより、遊技機を抱えることなく搬出・搬入作業を行うことができると共に、被搬送物たる遊技機を搬送手段に載置した後であっても、遊技機を持ち上げることなく所定の位置に合わせつつ搬出・搬入作業を行うことが可能である。
【００１４】
請求項４に記載の発明は、搬送手段は、複数のローラを有し、被搬送物を背もたれ部の平面に沿った方向且つ遊技機が設置される側に対して近接・離反方向に搬送可能であることを特徴とする請求項１又は２に記載の遊技場用椅子である。
【００１５】
かかる構成によれば、搬送手段としてローラが採用されているため、被搬送物を一定の方向に容易に搬送することができる。即ち、本発明によれば、被搬送物を遊技機が設置される側に対して近接・離反する方向に搬送できるため、被搬送物たる遊技機を抱えることなく搬入・搬出作業を行うことができる。
【００１６】
請求項５に記載の発明は、遊技機は、遊技機の外郭とほぼ同じ開口面積を有した遊技機取付部に設置されるものであって、前記搬送手段は、その天部の位置が、遊技機取付部の開口底部の位置とほぼ同じ鉛直方向の位置となるように設けられていることを特徴とする請求項１乃至４のいずれかに記載の遊技場用椅子である。
【００１７】
かかる構成によれば、遊技機（被搬送物）を遊技機取付部から取り外して搬出作業を行う場合に、その遊技機を鉛直方向に殆ど移動させることなく、ほぼ水平方向に移動させることで搬送手段に載置することができる。また、遊技機取付部に遊技機を取り付ける搬入作業を行う場合であっても、遊技機を鉛直方向に殆ど移動させることなく、搬送手段に載置した遊技機を搬送手段に沿って搬送することで遊技機取付部に搬入することができる。即ち、遊技機を遊技機取付部から取り外したり、遊技機取付部に取り付けたりする前後で、遊技機を鉛直方向に持ち上げたり、下ろしたりする作業が必要最小限に軽減されるため、作業者の負担を抑制することができる。
【発明の効果】
【００１８】
本発明の遊技場用椅子では、背もたれ部に搬送手段を設け、その搬送手段に遊技機を載置して搬出・搬入作業を行うことができるため、作業者の負担を抑制でき、作業効率を向上させることができる。
【図面の簡単な説明】
【００１９】
【図１】本発明の実施形態に係る遊技場用椅子を示す斜視図である。
【図２】図１の遊技場用椅子を示す分解斜視図である。
【図３】図２のＡ方向から見た背もたれ部の斜視図である。
【図４】図１に示す背もたれ部のＡ−Ａ断面図である。
【図５】図１の遊技場用椅子を示す側面図である。
【図６】図１の遊技場用椅子の背もたれ部を腰掛け部側に折り畳んだ状態を示す斜視図である。
【図７】図６の状態の遊技場用椅子で遊技機が搬送されている状況を示す説明図である。
【図８】別の実施形態に係る遊技場用椅子を示す斜視図である。（ローラ）
【図９】さらに別の実施形態に係る遊技場用椅子を示す斜視図で、（ａ）は背もたれ部が着座可能位置である状態を示し、（ｂ）は背もたれ部が搬送可能位置である状態を示している。（分離型）
【発明を実施するための形態】
【００２０】
以下、本発明の実施形態に係る遊技場用椅子１について詳細に説明する。
なお、以下の説明において、特に断りがない限り、上下左右の関係は通常の取付位置を基準とする。
【００２１】
本実施形態の遊技場用椅子１は、図１に示すように、パチンコ機やスロット機等の遊技機３０を遊技できる遊技場に設けられるもので、各遊技機３０に対向する位置に１脚ずつ配される。即ち、遊技場用椅子１は、所望の遊技機３０を遊技する際に着座するものである。
【００２２】
遊技場用椅子１は、図１に示すように、腰掛け部２と、背もたれ部３と、背もたれ部３を腰掛け部２に対して相対的に回動できるように接続可能とした中間部材６と、脚部５により構成されている。
【００２３】
腰掛け部２は、平面視した形状がほぼ正方形で、遊技者が着座した際に当該遊技者の尻部が当接する部分である。腰掛け部２は、図２に示すように、実際に遊技者の尻部が当接するクッション部１５と、そのクッション部１５を保持する底部側ベース部１６とにより構成されている。
クッション部１５は、衝撃を緩和するクッション性の高いスポンジ等の図示しない緩衝材を有し、その緩衝材を布地、革、又は合皮等の図示しない被覆部材で覆った構成とされている。なお、クッション部１５の大きさは、後述する底部側ベース部１６の底部側ベース空間１７に嵌り込む程度の大きさとされている。
【００２４】
底部側ベース部１６は、樹脂の射出成形によって作られた部材である。具体的には、底部側ベース部１６は、平面視した形状がほぼ正方形で、一面が開放された筐体である。より具体的には、底部側ベース部１６は、腰掛け部２の底面側に位置する底面壁１８と、その底面壁１８を囲繞するように一体的に接合された側面壁２０を有し、底面壁１８と側面壁２０とによって底部側ベース空間１７が形成されている。即ち、底部側ベース部１６は、底面壁１８に対向する天面側の一面が開放されており、この開放された一面側から底部側ベース空間１７にクッション部１５が嵌め込まれる。なお、底部側ベース空間１７に嵌め込まれたクッション部１５は、接着剤等によって底部側ベース部材１６に固定される。
また、底面壁１８には、部座の厚み方向に貫通した複数の貫通孔３３、３５が設けられている。具体的には、貫通孔３３は、後述する脚部５と接続する際に用いられるもので、底面壁１８の中心側に配されており、貫通孔３５は、後述する中間部材６を接続する際に用いられるもので、底面壁１８の側面壁２０側に配されている。
【００２５】
背もたれ部３は、遊技者が着座した際に当該遊技者の背中をもたせかけることを可能とする部分であり、外観が、１つの大長方形部３ａと２つの小長方形部３ｂを組み合わせた形状とされている。具体的には、２つの小長方形部３ｂは、大長方形部３ａの短手側に配され、一定の間隔を空けて大長方形部３ａに一体的に接合された構成とされている。
【００２６】
背もたれ部３は、図２に示すように、クッション部２１と、被搬送物を搬送可能な搬送部８と、クッション部２１及び搬送部８を保持する背部側ベース部２２とにより構成されている。
クッション部２１は、前記した腰掛け部２におけるクッション部１５とほぼ同じ構成を有しており、大きさは後述する背部側ベース部２２に設けられた背部側ベース空間２７に嵌り込む程度の大きさとされている。
【００２７】
背部側ベース部２２は、樹脂の射出成形によって作られた部材である。具体的には、背部側ベース部２２は、大長方形部３ａにおける一面が開放されたほぼ筐体状の部材である。より具体的には、図２、３に示すように、背部側ベース部２２は、大長方形部３ａが、部材の厚み方向に貫通した複数の開口３４を有する有孔壁２３と、その有孔壁２３を囲繞するように一体的に接合された側面壁２５とにより形成され、小長方径部３ｂが、短手側の側面壁２５のうちの一方に一体的に接合された２つの回動規制片２６により形成されている。
【００２８】
即ち、背部側ベース部２２は、有孔壁２３と対向する一面側が開放されており、有孔壁２３と側面壁２５とによって背部側ベース空間２７が形成されている。そして、前記したように、有孔壁２３と対向する一面側からクッション部２１が背部側ベース空間２７に嵌め込まれる。なお、背部側ベース空間２７に嵌め込まれたクッション部２１は、接着剤等によって背部側ベース部３３と後述する搬送部８に固定される。
また、背部側ベース部２２の側面壁２５には、後述する搬送部８を接続するための貫通した４つの貫通孔３６が設けられている。具体的には、貫通孔３６は、短手側の側面壁２５に配されており、２の貫通孔３６は回動規制片２６側の側面壁２５であって回動規制片２６に挟まれた位置に配され、残りの２つの貫通孔３６は前記側面壁２５と対向する位置の側面壁２５に配されている。
【００２９】
背部側ベース部２２の回動規制片２６は、一定の厚みを備えた支持体であり、直線状の軸部材２４を挿通可能な軸挿通孔４０が設けられている。軸挿通孔４０は、２つの回動規制片２６に渡って軸部材２４を挿通可能な位置に配されている。即ち、２つの回動規制片２６に配されたそれぞれの軸挿通孔４０の位置は、大長方形部３ａと小長方径部３ｂの境界からほぼ同じ距離に配されている。換言すると、２つの軸挿通孔４０は、一方の軸挿通孔４０の孔を覗き込むと、他方の軸挿通孔４０の孔が連通した状態に見える関係である。
【００３０】
搬送部８は、図２に示すように、ほぼ板状の保持部１０と、複数の公知のフリーボールベアリング１１とによって構成されている。
保持部１０は、断面形状が「コ」の字型の部材で、フリーボールベアリング１１が固定されるベアリング側固定壁３７と、そのベアリング側固定壁３７に対してほぼ直交するように立設した２つのベース側固定壁３８とを有する。即ち、２つのベース側固定壁３８は、ベアリング側固定壁３７の対向する端辺の位置に一体的に設けられている。
なお、ベアリング側固定壁３７には、フリーボールベアリング１１が固定される部材の厚み方向に貫通した複数の図示しないネジ孔が設けられ、ベース側固定壁３８には、背部側ベース部２２の側面壁２５に設けられた貫通孔３６に対向する位置に部材の厚み方向に貫通した貫通孔３９が設けられている。
【００３１】
フリーボールベアリング１１は、ボール１２と、そのボール１２を回転可能に保持する筐体１３を有している。具体的には、ボール１２は大半が筐体１３に保持されており、一部だけが筐体１３の外部に露出している。即ち、ボール１２の回転方向に外力が伝わると、そのボール１２が回転して、ボール１２に載置された被搬送物を移動させることができる。また、筐体１３は、ベアリング側固定壁３７に当接するフランジ部４１を有し、そのフランジ部４１には、ネジ等の固定手段が挿通される図示しないネジ孔が設けられている。
即ち、搬送部８は、図４に示すように、１つの保持部１０に対して複数のフリーボールベアリング１１を、ベアリング側固定壁３７におけるベース側固定壁３８の立設方向と反対側の面上に載置して、図示しないネジ孔を連通状態にしてネジ等の固定手段で固定して形成されている。そして、この搬送部８は、背部側ベース部２２の背部側ベース空間２７に配されて固定されている。具体的には、搬送部８は、背部側ベース部２２の有孔壁２３に設けられた開口３４からフリーボールベアリング１１の一部が露出するよう配されており、その状態で、搬送部８の貫通孔３９と背部側ベース部２２の貫通孔３６にボルトが挿通されてナットによって固定されている。そして、その状態の背部側ベース空間２７にクッション部２１が配されて固定されている。即ち、背もたれ部３は、背部側ベース部２２の背部側ベース空間２７において、有孔壁２３側から順番に搬送部８、クッション部２１が配されて構成されている。
【００３２】
中間部材６は、図２に示すように、断面形状がほぼ「Ｌ」字型の部材で、一方の突端側が腰掛け部２に固定され、他方の突端側が背もたれ部３を軸部材２４を介して軸支可能なものとされている。具体的には、中間部材６は、部材幅（図２の奥行き方向の長さ）が前記した２つの回動阻止片２６の間に形成された間隔とほぼ同じ大きさとされており、前記他方の突端側が背もたれ部３の前記間隔に挟まれるように配される部分である。即ち、中間部材６の他方の突端側には、部材の幅方向に貫通した軸挿通孔４３が設けられている。そして、前記一方の端部側には、前記した底部側ベース部１６の貫通孔３５と連通し得る位置に部材の厚み方向に貫通する２つの貫通孔４２が設けられている。
【００３３】
脚部５は、腰掛け部２を遊技場の床面から所定の高さに維持できる支持部４５と、その支持部の周方向に相対的に回転可能とする公知の回転機構を備えた回転部４６とにより構成されている。この回転部４６は、支持部４５の一方の端部側に設けられている。そして、回転部４６は、腰掛け部２に当接するフランジ部４７を有し、そのフランジ部４７にボルト等の固定手段が挿通される貫通孔４８が設けられている。即ち、脚部５は、支持部４５を遊技場の床に固定し、回転部４６を腰掛け部２に固定することで、腰掛け部２を床面に対して相対的に回転させることが可能となる。
【００３４】
次に、遊技場に設置された遊技場用椅子１の組み立て構造について説明する。
本実施形態に係る遊技場用椅子１は、図１に示すように、遊技機３０の真正面に対向する位置に配されている。そして、遊技場の床面に脚部５の回転部４６が位置する反対側の端部側（脚部５の他方の端部側）が固定されて設置されている。脚部５の回転部４６が位置する端部側（脚部５の一方の端部側）は、腰掛け部２の底部に位置し、腰掛け部２と一体的に接続されている。具体的には、脚部５と腰掛け部２は、脚部５の貫通孔４８と腰掛け部２の貫通孔３３を連通した状態にされて、ボルト・ナット（固定手段）により接続されている。
【００３５】
また、腰掛け部２には、中間部材６が一体的に接続されている。即ち、中間部材６は、貫通孔４２が位置する端部側（一方の端部側）が腰掛け部２の底面壁１８に当接するように位置しており、中間部材６の貫通孔４２と腰掛け部２の貫通孔３５が連通した状態にされて、ボルト・ナットにより接続されている。そして、中間部材６の軸挿通孔４３が位置する端部側には、背もたれ部３が中間部材６に対して相対的に回動可能に接続されている。即ち、背もたれ部３の軸挿通孔４０と中間部材６の軸挿通孔４３を連通状態にして軸部材２４が挿通されてヒンジ構造が形成されている。具体的には、背もたれ部３は、遊技者が腰掛け部２に着座した際に、クッション部２１が当該遊技者の背中と対向する位置（着座可能位置）と、搬送部８がほぼ鉛直上方に向く位置（搬送可能位置）に変更可能とされているため、背もたれ部３は、腰掛け部２側を内側と定義すれば、クッション部２１が内側に位置し、搬送部８が外側に位置するように中間部材６に対して軸支されている。
【００３６】
なお、背もたれ部３を着座可能位置にした際に、その状態を維持可能にすると共に挿通された軸部材２４の脱落を防止する転倒・脱落防止部材４４が設けられている。
ここで、転倒・脱落防止部材４４について説明すると、転倒・脱落防止部材４４は、金属、樹脂等で形成されており、断面形状が、長方形の筒体の一部が欠落した形状で、長手方向端部が双方ともほぼ「コ」字型とされている。即ち、転倒・脱落防止部材４４は、長手方向両端部が背もたれ部３の回動阻止片２６を囲み込むように装着されている。また、回動阻止片２６には、図示しない係止部があり、転倒・脱落防止部材４４はその係止部に係止されることで装着性が高められている。
【００３７】
次に、本実施形態に係る遊技場用椅子１の使用方法について説明する。
本実施形態の遊技場用椅子１は、遊技場に新たな遊技機を搬入して遊技機の設置箇所たる開口状の遊技機取付部５０に取り付けたり（以下、搬入作業と称す）、既存の遊技機を遊技機取付部５０から取り外したり（以下、搬出作業と称す）する際に特徴的機能を発揮し、それ以外の際には、通常の椅子としての機能を発揮する。換言すれば、本実施形態では、背もたれ部３を着座可能位置にするか、搬送可能位置にするかで使用方法が異なる。
【００３８】
即ち、通常の椅子として機能させる場合は、図１、５に示すように、背もたれ部３を遊技機３０に対向させて、着座可能位置にした状態で使用する。この状態においては、背もたれ部３の回動阻止片２６が、図５に示すように、腰掛け部２に当接するため、この状態から背もたれ部３が腰掛け部２に対してさらに離反する方向に回動することはない。即ち、遊技者が腰掛け部２に着座して、背もたれ部３に背中を押し当てたとしても、回動阻止片２６がその外力に対向するため、遊技者が背中側から転倒するようなことはない。さらに、本実施形態の遊技場用椅子１には、転倒・脱落防止部材４４が回動阻止片２６に装着されているため、背中側に加えて、腰掛け部２側に回動することもない。
【００３９】
一方、本実施形態の特徴的機能を発揮させる場合は、転倒・脱落防止部材４４を回動阻止片２６から離脱させ、図６、７に示すように、背もたれ部３を腰掛け部２側に回動させて両者を当接させて、搬送可能位置にした状態で使用する。この状態においては、図６に示すように、搬送部８のフリーボールベアリング１１が鉛直上方に向かって背もたれ部３から露出しているため、被搬送物をフリーボールベアリング１１上に載置することができる。即ち、被搬送物たる遊技機３０を遊技機取付部５０に対して近接・離反する方向に移動させることができる。これにより、搬送する遊技機３０を取り付ける際の作業負担が軽減される。また、本実施形態では、搬送部８にフリーボールベアリング１１を採用しているため、遊技機取付部５０に対して近接・離反する方向だけでなく、遊技機取付部５０に対して左右方向の成分を含んだ方向に移動させることができる。これにより、遊技機３０を持ち上げることなく、遊技機３０の位置の調整を行うことができる。即ち、取り付けの際においては、遊技機取付部５０の開口位置に合わせて移動させることができ、取り外しの際においては、台車などの位置に合わせて移動させることができる。
【００４０】
また、この状態のフリーボールベアリング１１の鉛直方向最上部と床面からの鉛直高さＨは、遊技機取付部５０の開口下端側と床面からの鉛直高さＬとほぼ等しいため、搬送部８から遊技機取付部５０に移動させたり、遊技機取付部５０から搬送部８に移動させる作業が容易である。即ち、搬送部８と遊技機取付部５０との間で、遊技機３０を鉛直上下方向に変位させる動作をする必要が殆どないため、作業者に殆ど負担を与えることがない。これにより、遊技機３０の搬出・搬入作業時の作業効率を向上させることができる。
【００４１】
上記実施形態では、搬送部８がフリーボールベアリング１１を有する構成を示したが、本発明はこれに限定されず、例えば、図８に示すように、フリーボールベアリング１１に換えて、筒状のローラ５１を有する構成であっても構わない。即ち、この構成によれば、被搬送物たる遊技機３０が載置される正味の面積が広くなるため、遊技機３０の安定性を確保しつつ遊技機取付部５０の近接・離反方向に移動させることができる。
また、公知のフリーボールベアリング１１に換えて、一定の強度を備えた単なる球体を備えたものであっても構わない。即ち、金属や樹脂などにより形成された球体を、その球体が回転可能に保持される保持部材に複数設けて搬送部を構成するものであっても構わない。
【００４２】
上記実施形態では、背もたれ部３が腰掛け部２と相対的に回動する構成を示したが、本発明はこれに限定されず、例えば、背もたれ部が腰掛け部に対して着脱可能な構成であっても構わない。即ち、図９に示すように、背もたれ部５４と腰掛け部５５を中間部材５３を介してネジやボルト・ナット等の固定手段で接続した構成である。この構成によれば、背もたれ部５４の固定手段を離脱することで腰掛け部５５から背もたれ部５４を分離できる。そして、分離された背もたれ部５４を、搬送部５６が鉛直上方を向くように腰掛け部５５に載置することで、上記実施形態と同様の作用効果を得ることができる。なお、この構成では、背もたれ部５４と腰掛け部５５が分離した状態であるため、遊技機３０の搬送時に背もたれ部５４が腰掛け部５５に対して移動してしまう不具合が考えられるが、背もたれ部５４と腰掛け部５５の間にゴム等の摩擦係数が高いシート状の図示しない摩擦シート等を挟んでおくことで、その不具合を防止することができる。
【００４３】
上記実施形態では、搬送可能状態において、フリーボールベアリング１１の鉛直方向最上部と床面からの鉛直高さＨと、遊技機取付部５０の開口下端側と床面からの鉛直高さＬとがほぼ等しい関係とされていたが、本発明はこれに限定されず、鉛直高さＨと鉛直高さＬは若干ずれた関係であっても構わない。
【符号の説明】
【００４４】
１    遊技場用椅子
２    腰掛け部
３    背もたれ部
６    中間部材
８    搬送部（搬送手段）
１１    フリーボールベアリング
１２    ボール
５１    ローラ
５３    中間部材
５４    背もたれ部
５５    腰掛け部
５６    搬送部
【図１】
0005491337.tif 000002
【図２】
0005491337.tif 000003
【図３】
0005491337.tif 000004
【図４】
0005491337.tif 000005
【図５】
0005491337.tif 000006
【図６】
0005491337.tif 000007
【図７】
0005491337.tif 000008
【図８】
0005491337.tif 000009
【図９】
0005491337.tif 000010